(57)【要約】【課題】内側スリーブ状部の内側側面部の一部が分離部として他の部分と切目線を介して分離可能な内箱部と、内箱部を覆う外箱部で、外側側面部を有する外側スリーブ状部と、蓋部とを有し、分離部が設けられた内側側面部に対応した外側側面部には、切目線により形成された片部が分離部と接着された外箱部と、を有する包装箱において、商品が陳列されていることを顧客に強く知らせ、高さ方向における陳列場所に応じた対応が可能なものを提供する。【解決手段】内箱部の正面部１０は、正面本体部１２と、正面側支持部１４ａ、１４ｂと、表示部本体部１４ｃと、背面側支持部１４ｄとを有し、表示部本体部の傾斜角度が小さい第１状態では、背面側支持部１４ｄの切欠部Ｋ２４、Ｋ２６を切込みＫ１２、Ｋ１４に係止し、一方、表示部本体部の傾斜角度が大きい第２状態では、一対の切欠部Ｋ２４、Ｋ２６間の片部１４ｄ−１を切込みＫ１６に挿通する。【選択図】図３
0003147173.tif 000002
【実用新案登録請求の範囲】
【請求項１】
包装箱であって、
略方形状の底面部と、底面部の各辺から立設し底面部に対して略直角をなす内側スリーブ状部で、内側正面部と、相対する一対の内側側面部と、内側背面部とからなる内側スリーブ状部とを有し、上部が開口した内箱部で、相対する一対の内側側面部において、内側側面部の一部が分離部として内側側面部における分離部以外の部分である内側側面部本体部と第１切目線を介して分離可能に形成され、１枚のブランクにより形成された内箱部と、
内箱部を覆う外箱部で、内箱部の内側スリーブ状部を構成する内側正面部と一対の内側側面部と内側背面部の各部に対応して該各部の外側の面に沿って設けられた外側スリーブ状部で、内側正面部の外側の面に沿って形成された外側正面部と、一対の内側側面部における各内側側面部の外側の面に沿ってそれぞれ形成された外側側面部と、内側背面部の外側の面に沿って形成された外側背面部とを有する外側スリーブ状部と、外側スリーブ状部の上端から折れ線を介して連設された蓋部とを有し、内箱部における分離部が設けられた内側側面部に対応した外側側面部に分離部が接着され、外側側面部における分離部が接着された領域を含み第２切目線を介して形成された片部が第２切目線を破断することにより該外側側面部の他の部分に対して回動可能に形成され、１枚のブランクにより形成された外箱部と、
を有し、
外側側面部における分離部が接着された該片部を該第２切目線を破断して外側側面部の他の部分に対して回動させることにより、該第１切目線が破断して分離部が該片部に接着した状態のまま内箱部から分離し、
該内側正面部が、底面部と内側側面部から連設された内側正面本体部と、内側正面本体部の上端から連設された表示部とを有し、
該表示部が、
内側正面本体部の左右両側において水平方向の第１折れ線を介して内側正面本体部から連設された方形状の第１正面側支持部と、第１正面側支持部の第１折れ線とは反対側の第１折れ線と平行な辺部に設けられた第２折れ線を介して第１正面側支持部から連設された方形状の第２正面側支持部と、第２正面側支持部の第２折れ線とは反対側の第２折れ線と平行な辺部に設けられた第３折れ線を介して連設されるとともに第２正面側支持部の内側の辺部に設けられた第３切目線を介して連設された表示部本体部と、表示部本体部の第３折れ線とは反対側の第３折れ線とは平行な辺部に設けられた第４折れ線を介して連設された背面側支持部とを有し、
該内側正面本体部が、その上端に設けられ背面側支持部と係止する第１係止部と、第１係止部よりも下側に形成され背面側支持部の先端の少なくとも一部を挿通する切込みにより形成された第２係止部と、
を有し、
表示部本体部の垂直方向に対する傾斜角度が小さい第１状態においては、第１正面側支持部を正面本体部に対して第１折れ線を介して正面側に折曲し、第２正面側支持部を第１正面側支持部に対して第２折れ線を介して上方の背面側に折曲し、背面側支持部を表示部本体部に対して第４折れ線を介して背面側の下方に折曲するとともに、第３切目線を破断せずに背面側支持部を第１係止部に係止することにより、第３折れ線が折曲せずに表示部本体部と第２正面側支持部とが同一平面に形成され、
表示部本体部の垂直方向に対する傾斜角度が大きい第２状態においては、第３切目線を破断するとともに、第１正面側支持部を正面本体部に対して第１折れ線を介して正面側に折曲し、第２正面側支持部を第１正面側支持部に対して第２折れ線を介して上方に折曲し、表示部本体部を第２正面側支持部に対して第３折れ線を介して上方の背面側に折曲し、背面側支持部を表示部本体部に対して第４折れ線を介して背面側の下方に折曲するとともに、背面側支持部を第２係止部に係止することを特徴とする包装箱。
【請求項２】
内側正面部が、表示部の組立て前の状態において、全体に、底面部との境界線で水平方向の境界線と、一対の内側側面部との境界線で垂直方向の境界線と、一対の内側側面部との境界線の上端から内側に水平方向に形成された第１辺部と、一対の第１辺部の内側の端部から上方に垂直方向に形成された第２辺部と、一対の第２辺部の上端を結ぶ第３辺部とにより囲まれた略凸状形状を有し、
第２辺部の下端から第２辺部の延長線上に第１切込みが形成され、第１切込みの内側に第１切込みに平行に第２切込みが形成され、第２切込みの上端から第２切込みの延長線上にミシン目状の上記第３切目線が形成され、第１切込みの下端と第２切込みの下端の間に上記第１折れ線が形成され、第１切込みの上端と第２切込みの上端の間に上記第２折れ線が形成され、切目線の上端から上記第３折れ線が形成され、
一対の第２切込みの上端を結び下方に湾曲して形成された第３切込みが形成されるとともに、第３切込みから下方に向けて第２切込みと平行に第４切込みが形成され、該第４切込みにより上記第１係止部が形成され、
上記第４折れ線の途中位置を起点とする第５切込みが上方に湾曲して形成され、
第３辺部には一対の切欠部が間隔を介して形成され、
第３辺部に設けられた一対の切欠部間の片部が挿通するための第６切込みが第４切込みの下方位置に形成され、該第６切込みにより上記第２係止部が形成され、
第１辺部と第１切込みと第１折れ線と第２切込みと第３切込みが正面本体部の上端を構成し、
第１切込みと第１折れ線と第２切込みと第２折れ線とで囲まれた領域が第１正面側支持部を構成し、第２辺部と第２折れ線と第３切目線と第３折れ線とで囲まれた領域が第２正面側支持部を構成し、
上記第３折れ線と上記第３切目線と第３切込みと第５切込みと第５切込みの両側の第４折れ線とで囲まれた領域が上記表示部本体部を構成し、
上記第５切込みと第５切込みの両側の第４折れ線と第２辺部と第３辺部とで囲まれた領域が上記背面側支持部を構成することを特徴とする請求項１に記載の包装箱。
【考案の詳細な説明】
【技術分野】
【０００１】
本考案は、包装箱に関するものであり、複数の商品を集合して包装するとともに、包装箱の一部を分離させて商品を店頭等に陳列する包装箱に関するものである。
【背景技術】
【０００２】
従来より、複数の商品を集合して包装するとともに、店頭等に陳列する包装箱として、出願人は、特許文献１の包装箱について出願をしている。すなわち、特許文献１は、包装箱であって、底面部と、底面部の各辺から立設し底面部に対して略直角をなす複数の内側側面部からなる内側スリーブ状部とを有し、上部が開口した内箱部で、少なくとも２つの内側側面部において、内側側面部の上端の領域の一部が分離部として他の部分とミシン目を有する切目線を介して分離可能に形成された内箱部と、内箱部を覆う外箱部で、内箱部の内側スリーブ状部を構成する各内側側面部に対応して各内側側面部の外側の面に沿って設けられた外側側面部を有する外側スリーブ状部と、複数の外側側面部における少なくとも１つから連設された蓋部とを有し、内箱部における分離部が設けられた内側側面部に対応した外側側面部には、略コ字状の切込みが、該略コ字状の切込みにより形成された片部が水平方向に回動可能となるように形成され、該片部の内側の面が分離部と接着されている外箱部と、を有し、該略コ字状の切込みにより形成される片部を水平方向に外側に回動させることにより、分離部が片部に接着した状態のまま内箱部から分離することを特徴とするものである。
【０００３】
また、出願人は、特許文献２、特許文献３に記載の先行技術文献を知得している。
【特許文献１】実用新案登録第３１３９９４８号公報
【特許文献２】特開２００３−１２８０５１号公報
【特許文献３】特開２００３−１２８０５２号公報
【考案の開示】
【考案が解決しようとする課題】
【０００４】
しかし、商品が収納された包装箱（特に、内箱部）を店舗等において配置する際には、包装箱に収納された商品がその陳列場所において陳列されていることをその商品の陳列場所（例えば、店舗店）を訪れた者（例えば、顧客）に強く知らせることができるものが望まれていた。さらには、商品の陳列場所としては、高い位置に陳列する場合もあれば低い位置に陳列する場合もあり、商品の陳列をユーザに知らせるに際して、高さ方向における陳列場所に応じた対応が可能な包装箱が望まれていた。
【０００５】
そこで、本考案は、底面部と、内側スリーブ状部を有する内箱部で、内側スリーブ状部の内側側面部の一部が分離部として他の部分と切目線を介して分離可能な内箱部と、内箱部を覆う外箱部で、内側スリーブ状部を構成する各内側側面部に対応して外側側面部を有する外側スリーブ状部と、蓋部とを有し、分離部が設けられた内側側面部に対応した外側側面部には、切目線により形成された片部が分離部と接着されている外箱部と、を有する包装箱において、商品が陳列されていることを顧客に強く知らせることができるとともに、商品の陳列をユーザに知らせるに際して、高さ方向における陳列場所に応じた対応が可能なものを提供することを目的とする。
【課題を解決するための手段】
【０００６】
本考案は上記問題点を解決するために創作されたものであって、第１には、包装箱であって、略方形状の底面部と、底面部の各辺から立設し底面部に対して略直角をなす内側スリーブ状部で、内側正面部と、相対する一対の内側側面部と、内側背面部とからなる内側スリーブ状部とを有し、上部が開口した内箱部で、相対する一対の内側側面部において、内側側面部の一部が分離部として内側側面部における分離部以外の部分である内側側面部本体部と第１切目線を介して分離可能に形成され、１枚のブランクにより形成された内箱部と、内箱部を覆う外箱部で、内箱部の内側スリーブ状部を構成する内側正面部と一対の内側側面部と内側背面部の各部に対応して該各部の外側の面に沿って設けられた外側スリーブ状部で、内側正面部の外側の面に沿って形成された外側正面部と、一対の内側側面部における各内側側面部の外側の面に沿ってそれぞれ形成された外側側面部と、内側背面部の外側の面に沿って形成された外側背面部とを有する外側スリーブ状部と、外側スリーブ状部の上端から折れ線を介して連設された蓋部とを有し、内箱部における分離部が設けられた内側側面部に対応した外側側面部に分離部が接着され、外側側面部における分離部が接着された領域を含み第２切目線を介して形成された片部が第２切目線を破断することにより該外側側面部の他の部分に対して回動可能に形成され、１枚のブランクにより形成された外箱部と、を有し、外側側面部における分離部が接着された該片部を該第２切目線を破断して外側側面部の他の部分に対して回動させることにより、該第１切目線が破断して分離部が該片部に接着した状態のまま内箱部から分離し、該内側正面部が、底面部と内側側面部から連設された内側正面本体部と、内側正面本体部の上端から連設された表示部とを有し、該表示部が、内側正面本体部の左右両側において水平方向の第１折れ線を介して内側正面本体部から連設された方形状の第１正面側支持部と、第１正面側支持部の第１折れ線とは反対側の第１折れ線と平行な辺部に設けられた第２折れ線を介して第１正面側支持部から連設された方形状の第２正面側支持部と、第２正面側支持部の第２折れ線とは反対側の第２折れ線と平行な辺部に設けられた第３折れ線を介して連設されるとともに第２正面側支持部の内側の辺部に設けられた第３切目線を介して連設された表示部本体部と、表示部本体部の第３折れ線とは反対側の第３折れ線とは平行な辺部に設けられた第４折れ線を介して連設された背面側支持部とを有し、該内側正面本体部が、その上端に設けられ背面側支持部と係止する第１係止部と、第１係止部よりも下側に形成され背面側支持部の先端の少なくとも一部を挿通する切込みにより形成された第２係止部と、を有し、表示部本体部の垂直方向に対する傾斜角度が小さい第１状態においては、第１正面側支持部を正面本体部に対して第１折れ線を介して正面側に折曲し、第２正面側支持部を第１正面側支持部に対して第２折れ線を介して上方の背面側に折曲し、背面側支持部を表示部本体部に対して第４折れ線を介して背面側の下方に折曲するとともに、第３切目線を破断せずに背面側支持部を第１係止部に係止することにより、第３折れ線が折曲せずに表示部本体部と第２正面側支持部とが同一平面に形成され、表示部本体部の垂直方向に対する傾斜角度が大きい第２状態においては、第３切目線を破断するとともに、第１正面側支持部を正面本体部に対して第１折れ線を介して正面側に折曲し、第２正面側支持部を第１正面側支持部に対して第２折れ線を介して上方に折曲し、表示部本体部を第２正面側支持部に対して第３折れ線を介して上方の背面側に折曲し、背面側支持部を表示部本体部に対して第４折れ線を介して背面側の下方に折曲するとともに、背面側支持部を第２係止部に係止することを特徴とする。
【０００７】
この第１の構成の包装箱においては、蓋部を開けた状態として、包装箱の上方から複数の被収納物（商品）を内箱部内に収納する。その後、蓋部を閉状態にして、接着テープにより蓋部を封止する。つまり、外箱部の外側正面部から上面を経て外側背面部側にまで接着テープを貼り付けることにより蓋部を封止する。被収納物を包装箱に包装したら、被収納物を収納した包装箱を被収納物を陳列する場所に搬送する。その後、被収納物を陳列する場合には、外箱部を内箱部から分離する。すなわち、外側側面部における分離部が接着された片部を第２切目線を破断して該外側側面部の他の部分に対して回動させることにより、第１切目線が破断して分離部が片部に接着した状態のまま内箱部から分離させ、外箱部を上方に引き上げることにより、被収納物を収納した状態で、かつ、分離部が分離した状態の内箱部が残るので、被収納物を内箱部に収納した状態で被収納物を陳列する。その後、表示部を組み立てて、表示部本体部に商品の広告を表示してＰＯＰ広告として使用する。
【０００８】
本考案においては、表示部本体部が設けられた表示部を有するので、表示部本体部に商品の広告等を表示することにより、商品が陳列されていることを顧客に強く知らせることができる。また、表示部を、表示部本体部の垂直方向に対する傾斜角度が小さい第１状態と、表示部本体部の垂直方向に対する傾斜角度が大きい第２状態のいずれかに組み立てることができるので、棚等において、商品を収納した内箱部を高い位置に陳列する場合には、第１状態として表示部本体部の垂直方向に対する傾斜の度合いを小さくし、一方、低い位置に陳列する場合には、第２状態として表示部本体部の垂直方向に対する傾斜の度合いを大きくすることにより、顧客に表示部本体部を見やすくすることができ、高さ方向における陳列場所に応じた対応が可能なる。
【０００９】
また、第２には、上記第１の構成において、内側正面部が、表示部の組立て前の状態において、全体に、底面部との境界線で水平方向の境界線と、一対の内側側面部との境界線で垂直方向の境界線と、一対の内側側面部との境界線の上端から内側に水平方向に形成された第１辺部と、一対の第１辺部の内側の端部から上方に垂直方向に形成された第２辺部と、一対の第２辺部の上端を結ぶ第３辺部とにより囲まれた略凸状形状を有し、第２辺部の下端から第２辺部の延長線上に第１切込みが形成され、第１切込みの内側に第１切込みに平行に第２切込みが形成され、第２切込みの上端から第２切込みの延長線上にミシン目状の上記第３切目線が形成され、第１切込みの下端と第２切込みの下端の間に上記第１折れ線が形成され、第１切込みの上端と第２切込みの上端の間に上記第２折れ線が形成され、切目線の上端から上記第３折れ線が形成され、一対の第２切込みの上端を結び下方に湾曲して形成された第３切込みが形成されるとともに、第３切込みから下方に向けて第２切込みと平行に第４切込みが形成され、該第４切込みにより上記第１係止部が形成され、上記第４折れ線の途中位置を起点とする第５切込みが上方に湾曲して形成され、第３辺部には一対の切欠部が間隔を介して形成され、第３辺部に設けられた一対の切欠部間の片部が挿通するための第６切込みが第４切込みの下方位置に形成され、該第６切込みにより上記第２係止部が形成され、第１辺部と第１切込みと第１折れ線と第２切込みと第３切込みが正面本体部の上端を構成し、第１切込みと第１折れ線と第２切込みと第２折れ線とで囲まれた領域が第１正面側支持部を構成し、第２辺部と第２折れ線と第３切目線と第３折れ線とで囲まれた領域が第２正面側支持部を構成し、上記第３折れ線と上記第３切目線と第３切込みと第５切込みと第５切込みの両側の第４折れ線とで囲まれた領域が上記表示部本体部を構成し、上記第５切込みと第５切込みの両側の第４折れ線と第２辺部と第３辺部とで囲まれた領域が上記背面側支持部を構成することを特徴とする。
【００１０】
よって、略凸状のブランクに各切込みと折れ線と切欠部を設けることにより形成することができ、容易に内側正面部を形成することができる。
【考案の効果】
【００１１】
本考案に基づく包装箱によれば、表示部本体部が設けられた表示部を有するので、表示部本体部に商品の広告等を表示することにより、商品が陳列されていることを顧客に強く知らせることができる。また、表示部を、表示部本体部の垂直方向に対する傾斜角度が小さい第１状態と、表示部本体部の垂直方向に対する傾斜角度が大きい第２状態のいずれかに組み立てることができるので、棚等において、商品を収納した内箱部を高い位置に陳列する場合には、第１状態として表示部本体部の垂直方向に対する傾斜の度合いを小さくし、一方、低い位置に陳列する場合には、第２状態として表示部本体部の垂直方向に対する傾斜の度合いを大きくすることにより、顧客に表示部本体部を見やすくすることができ、高さ方向における陳列場所に応じた対応が可能なる。
【考案を実施するための最良の形態】
【００１２】
本考案においては、底面部と、内側スリーブ状部を有する内箱部で、内側スリーブ状部の内側側面部の一部が分離部として他の部分と切目線を介して分離可能な内箱部と、内箱部を覆う外箱部で、内側スリーブ状部を構成する各内側側面部に対応して外側側面部を有する外側スリーブ状部と、蓋部とを有し、分離部が設けられた内側側面部に対応した外側側面部には、切目線により形成された片部が分離部と接着されている外箱部と、を有する包装箱において、包装箱に収納された商品がその陳列場所において陳列されていることをその商品の陳列場所（例えば、店舗）を訪れた者に強く知らせることができるとともに、商品の陳列をユーザに知らせるに際して、高さ方向における陳列場所に応じた対応が可能なものを提供するという目的を以下のようにして実現した。
【００１３】
本考案に基づく包装箱Ａは、図１〜図８等に示すように構成され、図１〜図３、図１４等に示すように、内箱部Ａ１と、外箱部Ａ２とを有していて、それぞれが１枚のシート状のブランク（具体的には、段ボール、厚紙等）により形成されている。
【００１４】
内箱部Ａ１は、全体に上部が開口した容器状を呈し、図３、図６等に示すように、スリーブ状部（内側スリーブ状部）５と、底面部５０とを有している。スリーブ状部５は、組立て状態では、底面部５０の周囲から立設して形成され、正面部（内側正面部）１０と、側面部（内側側面部）２０と、側面部（内側側面部）３０と、背面部（内側背面部）４０と、糊代部４２とを有していて、その展開状態は、図６に示すように形成されている。
【００１５】
ここで、正面部１０は、正面本体部１２と、正面本体部１２の上端から連設された表示部１４とを有し、表示部１４は、正面本体部１２から連設された正面側支持部１４ａ、１４ｂと、正面側支持部１４ａ、１４ｂから連設された表示部本体部１４ｃと、表示部本体部１４ｃから連設された背面側支持部１４ｄとを有している。
【００１６】
そして、正面本体部１２は、正面側支持部１４ａ、１４ｂに内側に隣接して片部１２ａ、１２ｂを有している。
【００１７】
また、正面側支持部１４ａは、正面側支持部構成部（第１正面側支持部）１４ａ−１と正面側支持部構成部（第２支持側支持部）１４ａ−２とを有し、正面側支持部１４ｂは、正面側支持部構成部（第１正面側支持部）１４ｂ−１と正面側支持部構成部（第２支持側支持部）１４ｂ−２とを有している。
【００１８】
また、表示部本体部１４ｃは、中央領域部１４ｃ−１と、端部領域部１４ｃ−２、１４ｃ−３とを有している。
【００１９】
正面部１０の構成についてさらに詳しく説明すると、正面部１０は、組立て前の状態では、図３、図６、図７、図１４に示すように全体に平板状を呈し、横長の長方形状の上側に該長方形状よりも横方向の幅が小さい長方形を連設した全体に凸状を呈している。すなわち、正面部１０は、その底面側は底面部５０との直線状の境界線Ｑ１により形成され、左側面側は側面部３０との境界線Ｑ２により形成され、右側面側は側面部２０との境界線Ｑ３により形成されている。さらに、正面部１０の上面側は、境界線Ｑ２の上端から水平方向（境界線Ｑ１と水平な方向）に連設された辺部（第１辺部）１０ａと、辺部１０ａの内側の端部から垂直方向（境界線Ｑ１に対して水平、境界線Ｑ２、Ｑ３に対して水平）に上方に連設された辺部（第２辺部）１０ｂと、辺部１０ｂの上端から水平方向に形成された辺部（第３辺部）１０ｃと、辺部１０ｃの他方の端部から垂直方向に下方に連設された辺部（第２辺部）１０ｄと、辺部１０ｄの下端から水平方向に連設されるとともに境界線Ｑ３の上端に連設された辺部（第１辺部）１０ｅにより囲まれた形状を呈している。
【００２０】
そして、辺部１０ｂの延長線上に下方に切込み（第１切込み）Ｋ２が形成され、該切込みＫ２と平行に内側に切込み（第２切込み）Ｋ４が切込みＫ２と同じ長さで切込みＫ２と同じ高さの位置に形成されている。また、切込みＫ４の延長線上の上方にミシン目（第３切目線）Ｋ１８が形成されている。そして、切込みＫ２の下端と切込みＫ４の下端を結んだ折れ線（第１折れ線）Ｌ２が水平方向に形成され、また、折れ線Ｌ２の上側で折れ線Ｌ２と平行に形成され、辺部１０ａの延長線上に形成された折れ線（第２折れ線）Ｌ４が形成され、さらに、ミシン目Ｋ１８の上端から辺部１０ｂに向けて水平方向に折れ線（第３折れ線）Ｌ６が形成されている。折れ線Ｌ２、Ｌ４、Ｌ６は、互いに平行で同じ長さを呈している。この切込みＫ２と折れ線Ｌ２と切込みＫ４と折れ線Ｌ４とで囲まれた領域が正面側支持部構成部１４ａ−１となり、辺部１０ｂと折れ線Ｌ４とミシン目Ｋ１８と折れ線Ｌ６とで囲まれた領域が正面側支持部構成部１４ａ−２となる。
【００２１】
また、正面側支持部１４ｂは、正面側支持部１４ａと線対称に形成され、正面側支持部構成部１４ｂ−１は正面側支持部構成部１４ａ−１と線対称に形成され、正面側支持部構成部１４ｂ−２は正面側支持部構成部１４ａ−２と線対称に形成されている。すなわち、辺部１０ｄの延長線上に下方に切込みＫ６が形成され、該切込み（第１切込み）Ｋ６と平行に内側に切込み（第２切込み）Ｋ８が切込みＫ６と同じ長さで切込みＫ６と同じ高さの位置に形成されている。また、切込みＫ８の延長線上の上方にミシン目（第３切目線）Ｋ２０が形成されている。そして、切込みＫ６の下端と切込みＫ８の下端を結んだ折れ線（第１折れ線）Ｌ１２が水平方向に形成され、また、折れ線Ｌ１２の上側で折れ線Ｌ１２と平行に形成され、辺部１０ｅの延長線上に形成された折れ線（第２折れ線）Ｌ１４が形成され、さらに、ミシン目Ｋ２０の上端から辺部１０ｄに向けて水平方向に折れ線（第３折れ線）Ｌ１６が形成されている。折れ線Ｌ１２、Ｌ１４、Ｌ１６は、互いに平行で同じ長さを呈している。この切込みＫ６と折れ線Ｌ１２と切込みＫ８と折れ線Ｌ１４とで囲まれた領域が正面側支持部構成部１４ｂ−１となり、辺部１０ｄと折れ線Ｌ１４とミシン目Ｋ２０と折れ線Ｌ１６とで囲まれた領域が正面側支持部構成部１４ｂ−２となる。
【００２２】
また、切込みＫ４の上端と切込みＫ８の上端の間には、下向きに円弧状（又は楕円弧状）の切込み（第３切込み）Ｋ１０が形成されている。つまり、切込みＫ１０は下方に湾曲して形成されている。
【００２３】
また、切込みＫ４の内側には切込みＫ４に隣接して切込みＫ４に平行に切込み（第４切込み）Ｋ１２が切込みＫ１０から下方に形成され、該切込みＫ１２の下端からは切込みＫ４に向けて水平に折れ線Ｌ８が形成されている。以上のようにして、切込みＫ４と切込みＫ１０と切込みＫ１２と折れ線Ｌ８で囲まれた片部１２ａが形成される。
【００２４】
また、切込みＫ８の内側には切込みＫ８に隣接して切込みＫ８に平行に切込み（第４切込み）Ｋ１４が切込みＫ１０から下方に形成され、該切込みＫ１４の下端からは切込みＫ８に向けて水平に折れ線Ｌ１８が形成されている。以上のようにして、切込みＫ８と切込みＫ１０と切込みＫ１４と折れ線Ｌ１８で囲まれた片部１２ｂが形成される。なお、切込みＫ１２、Ｋ１４は、上記第１係止部に当たる。
【００２５】
また、切込みＫ１０の下側には、上向きに円弧状（又は楕円弧状）の切込み（第６切込み）Ｋ１６が形成されている。この切込みＫ１６は、折れ線Ｌ８、Ｌ１８よりも下方に形成され、背面側支持部１４ｄの一対の切欠部Ｋ２４、Ｋ２６間の片部１４ｄ−１を切込みＫ１６に差し込むことにより背面側支持部１４ｄを支持することができるようになっている。その際、背面側支持部１４ｄを片部１２ａ、１２ｂの位置で支持する場合よりも下方の位置で背面側支持部１４ｄを支持するようになっている。なお、切込みＫ１０の水平方向の長さは、背面側支持部１４ｄの片部１４ｄ−１を差し込むことができるように、一対の切欠部Ｋ２４、Ｋ２６間の長さ以上の長さに形成されている。
【００２６】
以上のように、正面本体部１２の上端は、辺部１０ａ、切込みＫ２、折れ線Ｌ２、切込みＫ４、切込みＫ１０、切込みＫ８、折れ線Ｌ１２、切込みＫ６、辺部１０ｅにより形成されているといえる。
【００２７】
また、折れ線Ｌ６、Ｌ１６よりも上方には、水平方向に折れ線（第４折れ線）Ｋ３０が形成され、折れ線Ｋ３０におけるミシン目Ｋ１８の延長線上の点Ｕ１とミシン目Ｋ２０の延長線上の点Ｕ２とを結ぶ上向きに円弧状（又は楕円弧状）の切込み（第５切込み）Ｋ２２が形成されている。この切込みＫ２２は、切込みＫ１０と略線対称に形成され、上方に湾曲して形成されている。
【００２８】
以上のように、切込みＫ２２と、折れ線Ｋ３０における切込みＫ２２の外側の部分と、辺部１０ｂと、辺部１０ｄと、折れ線Ｌ６と、ミシン目Ｋ１８と、切込みＫ１０と、ミシン目Ｋ２０と、折れ線Ｌ１６とで囲まれた領域が、表示部本体部１４ｃとなり、表示部本体部１４ｃにおいて、切込みＫ２２と切込み１０とミシン目Ｋ１８及びその延長線とミシン目Ｋ２０とその延長線により囲まれた領域が、中央領域部１４ｃ−１となり、その両側の領域が、端部領域部１４ｃ−２、１４ｃ−３となる。すなわち、中央領域部１４ｃ−１は、両端が欠切された略楕円状を呈し、端部領域部１４ｃ−２、１４ｃ−３は、長方形状を呈している。また、中央領域部１４ｃ−１における折れ線Ｋ３０よりも上側の部分が上側領域部１４ｃ−１ａとなる。
【００２９】
なお、表示部本体部１４ｃ（特に、中央領域部１４ｃ−１）の正面側には、商品の広告、商品の説明等が表示され、表示部本体部１４ｃ（特に、中央領域部１４ｃ−１）はＰＯＰ広告として使用できる。
【００３０】
また、背面側支持部１４ｄは、切込みＫ２２と、折れ線Ｋ３０における切込みＫ２２の外側の部分で形成される境界線よりも上方の領域であり、上端の辺部１０ｃには、一対の切欠部Ｋ２４、Ｋ２６が形成されている。切欠部Ｋ２４、Ｋ２６は、Ｖ字状を呈し（すなわち逆三角形状を呈し）、その奥側から下方には、それぞれ切込みＫ２５、Ｋ２７が形成されている。この切込みＫ２５、Ｋ２７の位置は、左右方向には、切込みＫ１２、Ｋ１４の位置に対応している。
【００３１】
また、側面部２０は、正面部１０の正面視における右側の端部から折れ線を介して連設され、方形状における上側の一部を切り欠いた形状を呈し、その上端の縁部は、略円弧状に形成され、背面側の端部においては、背面部４０の上端の縁部の高さと同じに形成されている。この側面部２０は、本体部２２と、分離部２４とを有している。
【００３２】
ここで、本体部２２の上端は、辺部１０ｅから直線状に連設された辺部２２ａと円弧状の辺部２２ｂとで構成されている。
【００３３】
また、分離部２４は、側面部２０の下端から形成された切目線（第１切目線）２４ａにより区画された領域であり、切目線２４ａは、垂直方向の一対のミシン目と該一対のミシン目の上端をつなぐ円弧状の切込みにより形成されている。つまり、側面部２０の下辺と切目線２４ａにより囲まれた領域が分離部２４となる。本体部２２は、側面部２０において分離部２４を除いた領域である。
【００３４】
この分離部２４の形成位置は、外箱部Ａ２の片部１２２の裏側の領域であり、分離部２４は片部１２２の裏側に接着され、片部１２２を外側に回動させることにより、分離部２４も片部１２２の裏側に接着したまま切目線２４ａが破断されて、分離部２４が本体部２２から分離するように形成されている。分離部２４は、図４に示すように、片部１２２よりも小さく形成されていて、分離部２４の外形が片部１２２の外形よりもはみだすことがない。
【００３５】
また、側面部３０は、正面部１０の正面視における左側の端部から折れ線を介して連設され、方形状における上側の一部を切り欠いた形状を呈し、その上端の縁部は、略円弧状に形成され、背面側の端部においては、背面部４０の上端の縁部の高さと同じに形成されている。この側面部３０は、本体部３２と、分離部３４とを有している。
【００３６】
この側面部３０の構成は、内箱部Ａ１の組立て状態では、側面部２０と前後方向に垂直な仮想的な平面である中心面を介して対称に形成されていて、本体部３２は本体部２２と対称（展開状態では線対称）に形成され、分離部３４は分離部２４と対称（展開状態では線対称）に形成されていることから詳しい説明を省略する。なお、分離部３４は、側面部３０の下端から形成された切目線（第１切目線）３４ａにより区画された領域である。
【００３７】
この分離部３４の形成位置は、外箱部Ａ２の片部１３２の裏側の領域であり、分離部３４は片部１３２の裏側に接着され、片部１３２を外側に回動させることにより、分離部３４も片部１３２の裏側に接着したまま切目線３４ａが破断されて、分離部３４が本体部３２から分離するように形成されている。分離部３４は、片部１３２よりも小さく形成されていて、分離部３４の外形が片部１３２の外形よりもはみだすことがない。
【００３８】
また、背面部４０は、側面部３０の左側面視における左端から折れ線を介して連設され、方形状（長方形状）を呈している。この背面部４０の横幅は、正面部の横幅と同一に形成され、背面部４０の縦幅は、側面部２０、３０の縦幅（最大縦幅）と同一に形成されている。なお、背面部４０の下端には、本体部７０の突状部７０ａが係止するための開口部４０ａが形成されている。
【００３９】
また、糊代部４２は、背面部４０の背面視における左端から折れ線を介して連設され、縦方向に細長の帯状台形形状を呈している。この糊代部４２は、その外側の面が側面部２０の内側の面に接着されている。
【００４０】
また、底面部５０は、接続片部６０と、本体部７０と、副体部８０と、接続片部９０とを有し、包装箱Ａの組立て状態においては、図５に示すように、略方形状を呈している。
【００４１】
ここで、接続片部６０は、側面部３０の下端から折れ線を介して連設され、先端側にいくほど幅狭となる略台形形状に形成されている。この接続片部６０の側面部３０との境界側には、分離部３４の下位置に分離部３４と略同幅の切欠部６０ａが形成されている。
【００４２】
また、本体部７０は、正面部１０の下端から折れ線を介して連設され、略長方形状に形成され、本体部７０のその上面が内箱部Ａ１の内底面を形成している。また、本体部７０の角部（正面部１０と側面部２０の境界位置の角部）からは本体部７０の正面部１０との境界をなす辺部に対して斜めに所定間隔で切込みが形成された（つまり、折曲しやすいように切込みが形成されている）折れ線７０−１（この折れ線７０−１は、上面側が山折れ線となっている）が形成され、内箱部Ａ１を折り畳む際に、容易に折り畳むことができるようになっている。本体部７０は、折れ線７０−１を介して本体部本体７２と先端部７４とに区画される。
【００４３】
また、副体部８０は、背面部４０の下端から折れ線を介して連設され、細長の長方形状の長手方向の一方の端部において背面部４０との境界線とは反対側に略台形状に突出させた形状を呈し、副体部８０の角部（背面部４０と側面部３０の境界位置の角部）からは副体部８０の背面部４０との境界をなす辺部に対して斜めに所定間隔で切込みが形成された（つまり、折曲しやすいように切込みが形成されている）折れ線８０−１（この折れ線８０−１は、上面側が山折れ線となっている）が形成され、この折れ線８０−１を介して先端側が先端部８４を構成し、折れ線８０−１を介して基端側が基端部８２を構成する。この先端部８４は、図５に示すように、その上面側が、先端部８４の辺部８４ａが側面部３０と接続片部６０の境界線に対して平行になるように、接続片部６０の下面に接着されている。
【００４４】
また、接続片部９０は、側面部２０の下端から折れ線を介して連設され、略台形形状を呈し、この接続片部９０の角部（正面部１０と側面部２０の境界位置の角部）からは接続片部９０の側面部２０との境界をなす辺部に対して斜めに所定間隔で切込みが形成された（つまり、折曲しやすいように切込みが形成されている）折れ線９０−１（この折れ線９０−１は、上面側が山折れ線となっている）が形成され、この折れ線９０−１を介して先端側が先端部９４を構成し、折れ線９０−１を介して基端側が基端部９２を構成する。この先端部９４は、図５に示すように、その上面側が、先端部９４の辺部９４ａが正面部１０と本体部７０の境界線に対して平行になるように、本体部７０（特に、本体部本体７２）の下面に接着されている。
【００４５】
内箱部Ａ１を箱状に組み立てた状態（ただし、表示部１４を組み立てる前の状態）では、正面部１０と背面部４０とが互いに平行になり、側面部２０と側面部３０とが互いに平行になり、底面部５０を構成する各部材は、正面部１０、側面部２０、３０、背面部４０に対して略直角（直角でもよい）となる。また、スリーブ状部５を構成する各部材（正面部１０、側面部２０、３０、背面部４０）における隣接する部材は互いに直角となっている。また、内箱部Ａ１は、平板状に折り畳むことができ、正面部１０と側面部２０との角度を小さくし、背面部４０と側面部３０との角度を小さくさせるとともに、本体部７０を上方に回動させて本体部７０が側面部２０に対して略平行になるようにすることにより、図１０に示すように、内箱部Ａ１が全体に平板状に折り畳むことができる。また、内箱部Ａ１を折り畳んだ状態では、底面部５０を構成する各部は、スリーブ状部５内にスリーブ状部５を構成する正面部１０、側面部２０、３０、背面部４０に対して略平行な状態となる。
【００４６】
次に、外箱部Ａ２は、内箱部Ａ１を覆う箱体であり、図１〜図３、図８等に示すように、スリーブ状部（外側スリーブ状部）１０５と、上面部１６０、１７０、１８０、１９０とを有していて、その展開状態は、図８に示すように形成されている。
【００４７】
ここで、スリーブ状部１０５は、組み立てた状態では、四角形状の筒状を呈し、正面部（外側正面部）１１０と、側面部（外側側面部）１２０と、側面部（外側側面部）１３０と、背面部（外側背面部）１４０とを有している。
【００４８】
ここで、正面部１１０は、方形状（長方形状）の板状を呈している。この正面部１１０の横幅は、内箱部Ａ１を外箱部Ａ２内に収納することができるように、正面部１０の横幅よりも若干大きく形成されている。
【００４９】
また、側面部１２０は、正面部１１０の正面視における右側の端部から折れ線Ｋ１２０を介して連設され、方形状を呈している。また、側面部１２０の下端からは、一対の略円弧状のミシン目１２２ａ、１２２ｂが縦方向に互いに対向して形成され、ミシン目１２２ａ、１２２ｂの上端を結ぶ折れ線１２２ｃが形成されていて、側面部１２０の下辺とミシン目１２２ａ、１２２ｂと折れ線１２２ｃにより囲まれた領域が片部１２２となる。つまり、片部１２２は、下端を外側に引き出すことによりミシン目１２２ａ、１２２ｂが破断して折れ線１２２ｃを中心に側面部１２０の他の部分（つまり、側面部１２０における片部１２２以外の部分）に対して回動するようになっている。
【００５０】
なお、正面部１１０と側面部１２０の境界位置には、所定間隔で切込みが形成された（つまり、折曲しやすいように切込みが形成されている）直線状の折れ線Ｋ１２０が形成され、折れ線Ｋ１２０の下側には、縦長の切欠部Ｋ１２２が形成されている。
【００５１】
また、側面部１３０は、正面部１１０の正面視における左側の端部から折れ線Ｋ１１２を介して連設され、方形状を呈し、ミシン目１３２ａとミシン目１３２ｂと折れ線１３２ｃとが形成され、側面部１３０の下辺とミシン目１３２ａ、１３２ｂと折れ線１３２ｃにより囲まれた領域が片部１３２となる。ミシン目１２２ａ、１２２ｂ、１３２ａ、１３２ｂが上記第２切目線に当たる。
【００５２】
側面部１３０は、外箱部Ａ２の組立て状態において、側面部１２０と前後方向に垂直な仮想的な平面である中心面を介して対称に形成されていて、ミシン目１３２ａはミシン目１２２ａと対称に形成され、ミシン目１３２ｂはミシン目１２２ｂと対称に形成され、折れ線１３２ｃは折れ線１２２ｃと対称に形成されている。
【００５３】
つまり、片部１３２は、下端を外側に引き出すことによりミシン目１３２ａ、１３２ｂが破断して折れ線１３２ｃを中心に側面部１３０の他の部分（つまり、側面部１３０における片部１３２以外の部分）に対して回動するようになっている。
【００５４】
なお、正面部１１０と側面部１３０の境界位置には、所定間隔で切込みが形成された（つまり、折曲しやすいように切込みが形成されている）直線状の折れ線Ｋ１１２が互いに平行に２本形成されている。また、側面部１３０と正面部１１０の間の位置における下側には、縦長の開口部Ｋ１１４が形成されている。
【００５５】
また、背面部１４０は、側面部１３０の左側面視における左端から折れ線Ｋ１１６を介して連設され、方形状を呈している。この背面部１４０の横幅は、内箱部Ａ１を外箱部Ａ２内に収納することができるように、背面部４０の横幅よりも若干大きく形成されている。
【００５６】
なお、側面部１２０と背面部１４０の境界位置には、所定間隔で切込みが形成された（つまり、折曲しやすいように切込みが形成されている）直線状の折れ線Ｋ１２４が形成されている。
【００５７】
また、糊代部１４２は、側面部１２０の右側面視における右端から折れ線（所定間隔で切込みが形成された（つまり、折曲しやすいように切込みが形成されている）直線状の２本の互いに平行な折れ線Ｋ１２４）を介して連設され、縦方向に細長の帯状台形形状を呈している。この糊代部１４２は、図２に示すように、その内側の面が背面部１４０の外側の面に接着されている。
【００５８】
また、正面部１１０と側面部１２０、１３０と背面部１４０の縦幅は同一に形成されていて、内箱部Ａ１の縦幅と同一又は若干大きく形成されている。
【００５９】
また、上面部１６０は、正面部１１０の上端から折れ線を介して連設され、方形状（長方形状）を呈している。また、上面部１７０は、側面部１２０の上端から折れ線を介して連設され、方形状（長方形状）を呈している。この上面部１７０と上面部１６０との間には隙間が形成されている。また、上面部１８０は、側面部１３０の上端から折れ線を介して連設され、方形状（長方形状）を呈している。この上面部１８０と上面部１６０との間には隙間が形成されている。また、上面部１９０は、背面部１４０の上端から折れ線を介して連設され、方形状（長方形状）を呈している。これら４つの上面部１６０〜１９０は、外箱部Ａ２の上面を開閉するものであり、特に、上面部１７０と上面部１８０を閉状態とすることにより外箱部Ａ２の上面が塞がれる。つまり、上面部１６０〜１９０は、蓋部を構成する。なお、上面部１６０〜１９０は、予め上方に立設した状態になっていて、外箱部Ａ２の上方が開口した状態になっている。なお、外箱部Ａ２の展開状態においては、図８に示すように、上面部１６０〜１９０における隣接した上面部においては、隙間Ｋ１３４、Ｋ１３６、Ｋ１３８が形成されている。なお、蓋部としての上面部１６０〜１９０はスリーブ状部１０５の上端の各辺から連設されているが、少なくとも１つの上面部から連設されていればよい。
【００６０】
外箱部Ａ２を箱状に組み立てた状態では、正面部１１０と背面部１４０とが互いに平行になり、側面部１２０と側面部１３０とが互いに平行になる。また、スリーブ状部１０５を構成する各部材（正面部１１０、側面部１２０、１３０、背面部１４０）における隣接する部材は互いに直角となっている。
【００６１】
次に、内箱部Ａ１と外箱部Ａ２とは、分離部２４、３４の箇所で互いに接着されている。つまり、分離部２４の外側の面と側面部１２０の内側の面とが接着剤その他の接着手段により接着されるとともに、分離部３４の外側の面と側面部１３０の内側の面とが接着剤その他の接着手段により接着されることにより、包装箱Ａが全体に一体に形成される。つまり、分離部２４の外側の面の全部又は一部の領域と側面部１２０（特に、片部１２２）の内側の面の間には接着剤層（図示せず）が設けられていて、同様に、分離部３４の外側の面の全部又は一部の領域と側面部１３０（特に、片部１３２）の内側の面の間には接着剤層（図示せず）が設けられている。これにより、外箱部Ａ２のスリーブ状部１０５は、内箱部Ａ１におけるスリーブ状部５の外側の面に沿って設けられ、例えば、正面部１０の外側の面に沿って正面部１１０が設けられ、側面部２０の外側の面に沿って側面部１２０が設けられ、側面部３０の外側の面に沿って側面部１３０が設けられ、背面部４０の外側の面に沿って背面部１４０が設けられている。該接着剤層の接着力は、外箱部Ａ２の片部１２２を外側に回動させた際に、同時に分離部２４の周囲の切目線２４ａが破れて、分離部２４が内箱部Ａ１から分離し、回動させた片部１２２に接着した状態で片部１２６に従動するように設定されていて、同様に、外箱部Ａ２の片部１３２を外側に回動させた際に、同時に分離部３４の下側の切目線３４ａが破れて、分離部３４が内箱部Ａ１から分離し、回動させた片部１３２に接着した状態で片部１３２に従動するように設定されている。
【００６２】
また、内箱部Ａ１と外箱部Ａ２とが接着された状態では、内箱部Ａ１の下端と外箱部Ａ２の下端とが同じ高さになるように形成されている。なお、内箱部Ａ１と外箱部Ａ２とは、分離部２４、３４の箇所以外は互いに接着されていない。以上のように、内箱部Ａ１は外箱部Ａ２の内側に収納した状態となっていて、内箱部Ａ１の底面部５０以外は外箱部Ａ２に被覆された状態となっている。つまり、外箱部Ａ２の下端の高さ方向の位置は、内箱部Ａ１の下端の高さ方向の位置と略同一であり、上面部１６０〜１９０を封止した状態では内箱部においては底面部５０のみが露出している。
【００６３】
なお、上記構成の包装箱Ａは、内箱部Ａ１が上記のように折り畳むことができ、また、外箱部Ａ２がスリーブ状部１０５を有し、全体に略スリーブ状を呈しているので、包装箱Ａの状態においても平板状に折り畳むことができ、正面部１１０を側面部１３０に対して略平行になるようにし、かつ、側面部１２０を背面部１４０に対して略平行になるようにすることにより、図９に示すように平板状に折り畳むことができる。
【００６４】
上記構成の包装箱Ａの使用状態について説明する。上記構成の包装箱Ａの使用状態について説明する。包装箱Ａを使用しない状況では、上記のように包装箱Ａは平板状に折り畳むことができるので、折り畳んで保管しておく。
【００６５】
そして、包装箱Ａを使用する際に、包装箱Ａを組み立てる。すなわち、外箱部Ａ２における正面部１１０と背面部１４０とが互いに平行になり、側面部１２０と側面部１３０とが互いに平行になるようにするとともに、内箱部Ａ１における正面部１０と背面部４０とが互いに平行になり、側面部２０と側面部３０とが互いに平行になるようにし、底面部５０がスリーブ状部５、１０５に直角になるようにすることにより包装箱Ａが立体状に組み立てられる。
【００６６】
そして、図１１に示すように、包装箱Ａの上方から複数の被収納物（商品）Ｇを内箱部Ａ１内に収納する。図１１は、箱状の商品である例を示しているが、他の被収納物であってもよい。なお、上面部１６０〜１９０は、予め上方に立設した状態になっていて、外箱部Ａ２の上方が開口した状態になっているので、被収納物Ｇはそのまま包装箱Ａの上方から収納すればよい。その後、上面部１６０〜１９０を閉状態にして、接着テープＴを外箱部Ａ２の側面部１２０から上面を経て側面部１３０側にまで接着させることにより、図１２に示すように、上面部１６０〜１９０を封止する。
【００６７】
以上のようにして、被収納物を包装箱Ａに包装したら、被収納物Ｇを収納した包装箱Ａを被収納物Ｇを陳列する場所に搬送する。
【００６８】
その後、被収納物を陳列する場合には、外箱部Ａ２を内箱部Ａ１から分離する。すなわち、図１３に示すように、外箱部Ａ２の片部１２２を外側に引き出してミシン目１２２ａ、１２２ｂを破断して折れ線１２２ｃを中心に回動させることにより、分離部２４も片部１２２の裏側に接着したまま切目線２４ａが破断されて、分離部２４が本体部２２から分離する。同様に、片部１３２を外側に引き出してミシン目１３２ａ、１３２ｂを破断して折れ線１３２ｃを中心に回動させることにより、分離部３４も片部１３２の裏側に接着したまま切目線３４ａが破断されて、分離部３４が本体部３２から分離する。
【００６９】
なお、片部１２２、１３２が回動する際の回動軸となる折れ線１２２ｃ、１３２ｃの箇所には折れ線として罫線を形成しておくのが好ましいが、罫線を形成しておかなくても片部１２２、１３２を回動させることにより自然と折れ線が形成されるが、予め該折れ線の箇所に罫線を形成しておいてもよい。
【００７０】
以上のように、外箱部Ａ２の片部１２２を上側に回動させた際に、同時に分離部２４の周囲の切目線２４ａが破れて、分離部２４が内箱部Ａ１から分離し、回動させた片部１２２に接着した状態で片部１２２に従動し、同様に、外箱部Ａ２の片部１３２を上側に回動させた際に、同時に分離部３４の周囲の切目線３４ａが破れて、分離部３４が内箱部Ａ１から分離し、回動させた片部１３２に接着した状態で片部１３２に従動する。
【００７１】
そして、図１４に示すように、外箱部Ａ２を上方に引き上げることにより、被収納物を収納した状態で、かつ、分離部２４、３４が分離した状態の内箱部Ａ１が残る。なお、外箱部Ａ２には、切欠部Ｋ１２２や開口部Ｋ１１４が設けられているので、外箱部Ａ２を内箱部Ａ１に対して容易に引き上げることができる。
【００７２】
その後、正面部１０における表示部１４を組み立てる。なお、表示部１４の組立てに当たっては、表示部本体部１４ｃの角度を２つの状態のいずれかにすることができ、水平方向に対する表示部本体部１４ｃの正面側の面の方向の角度が小さい「第１状態」と、水平方向に対する表示部本体部１４ｃの正面側の面の方向の角度が大きい「第２状態」のいずれかとすることができる。つまり、第２状態の場合には、第１状態に比べて表示部本体部１４ｃの正面側の面は上向きとなる。従って、棚等において、商品を収納した内箱部Ａ１を高い位置に陳列する場合には、第１状態とするのが好ましく、低い位置に陳列する場合には、第２状態とするのが好ましい。
【００７３】
まず、第１状態とする場合について説明する。正面本体部１２と正面側支持部構成部１４ａ−１間の折れ線Ｌ２と正面本体部１２と正面側支持部構成部１４ｂ−１間の折れ線Ｌ１２とを正面側から見て谷折りして、表示部１４を正面側に傾斜させておき、その後、折れ線Ｌ８、Ｌ１８を正面側から見て谷折りして片部１２ａ、片部１２ｂを正面側に傾斜させておく。
【００７４】
その後、折れ線Ｌ４、Ｌ１４を正面側から見て山折りして折れ線Ｌ４、Ｌ１４よりも上側の部分を背面側に傾斜させて正面側支持部構成部１４ａ−１、１４ｂ−１に対して折り曲げた状態とする。その際、ミシン目Ｋ１８、Ｋ２０は破断しない。
【００７５】
その後、折れ線Ｋ３０を正面側から見て山折りとして、背面側支持部１４ｄを表示部本体部１４ｃに対して折り曲げて表示部本体部１４ｃの背面側に位置させ、その後、背面側支持部１４ｄの切欠部Ｋ２４、Ｋ２６を切込みＫ１２、Ｋ１４に差し込む。つまり、背面側支持部１４ｄの先端領域における一対の切欠部Ｋ２４と切欠部Ｋ２６間の片部１４ｄ−１（図７参照）が正面本体部１２の上端の正面側に当接し、該先端領域における切欠部Ｋ２４よりも正面視左側の片部１４ｄ−２が片部１２ａの背面側に当接し、該先端領域における切欠部Ｋ２６よりも正面視右側の片部１４ｄ−３が片部１２ｂの背面側に当接するようにする。片部１２ａ、１２ｂを予め正面側に折り曲げておくのは、背面側支持部１４ｄの切欠部Ｋ２４、Ｋ２６を切込みＫ１２、Ｋ１４に差し込みやすくするためである。
【００７６】
以上のようにして、第１状態を構成することができ、この第１状態においては、表示部１４は図１５に示すように組み立てられる。この第１状態では、折れ線Ｌ６、Ｌ１６は折曲されていないとともに、ミシン目Ｋ１８、Ｋ２０は破断されておらず、表示部本体部１４ｃと正面側支持部構成部１４ａ−２、１４ｂ−２とは全体に平板状に面一となっている。なお、表示部本体部１４ｃは、その上端側が背面側に傾斜することになるので、中央領域部１４ｃ−１の上端が商品に接触する場合には、中央領域部１４ｃ−１における上側領域部１４ｃ−１ａを折れ線Ｋ３０を介して正面側に折り曲げてもよい。
【００７７】
次に、第２状態とする場合について説明する。正面本体部１２と正面側支持部構成部１４ａ−１間の折れ線Ｌ２と正面本体部１２と正面側支持部構成部１４ｂ−１間の折れ線Ｌ１２とを正面側から見て谷折りして、表示部１４を正面側に傾斜させておき、その後、折れ線Ｌ４、Ｌ１４を正面側から見て山折りして折れ線Ｌ４、Ｌ１４よりも上側の部分を背面側に傾斜させて正面側支持部構成部１４ａ−１、１４ｂ−１に対して折り曲げた状態とする。
【００７８】
その後、ミシン目Ｋ１８、Ｋ２０を破断するとともに、折れ線Ｌ６、Ｌ１６を正面側から見て山折りとし、表示部本体部１４ｃを正面側支持部構成部１４ａ−２、１４ｂ−２に対して折り曲げた状態とする。
【００７９】
その後、折れ線Ｋ３０を正面側から見て山折りとして、背面側支持部１４ｄを表示部本体部１４ｃに対して折り曲げて表示部本体部１４ｃの背面側に位置させ、その後、背面側支持部１４ｄの切欠部Ｋ２４と切欠部Ｋ２６間の片部１４ｄ−１を切込みＫ１６に正面本体部１２の背面側から差し込んで係止する。
【００８０】
以上のようにして、第２状態を構成することができ、この第２状態においては、表示部１４は図１６に示すように組み立てられる。この第２状態では、第１状態と異なり折れ線Ｌ６、Ｌ１６が折曲されており、背面側支持部１４ｄの先端は第１状態よりも低い位置で係止されるので、表示部本体部１４ｃは、第１状態よりも垂直方向に対して大きく傾斜していることになる。なお、表示部本体部１４ｃは、その上端側が背面側に大きく傾斜することになるので、中央領域部１４ｃ−１における上側領域部１４ｃ−１ａを折れ線Ｋ３０を介して正面側に折り曲げるのが好ましい。
【００８１】
なお、上記の表示部１４の組立てに際して、収納されている商品が邪魔になる場合には、一旦内箱部Ａ１から取り出して表示部１４の組立てを行い、表示部１４の組立てを行った後に商品を再度収納してもよい。
【００８２】
本実施例の包装箱Ａによれば、図１や図２に示すように、上方が開口した包装箱Ａに対して上方から被収納物である商品を収納して、上面部１６０〜１９０を閉じて１つの接着テープＴにより封止するのみであるので、容易に被収納物（商品）の梱包作業を行うことができる。
【００８３】
また、本実施例の包装箱Ａによれば、片部１２２、１３２を外側に回動させて、分離部２４、３４を内箱部Ａ１から分離して外箱部Ａ２を上方に引き上げるのみで陳列することができるので、陳列作業を容易に行なうことができる。
【００８４】
また、特に、内箱部Ａ１には、表示部１４が設けられ、表示部本体部１４ｃに広告等を表示することにより表示部本体部１４ｃをＰＯＰ広告として使用することができる。さらには、表示部本体部１４ｃの角度を二段階に調整できるので、棚等において、商品を収納した内箱部Ａ１を高い位置に陳列する場合には、第１状態として表示部本体部１４ｃの垂直方向に対する傾斜の度合いを小さくし、一方、低い位置に陳列する場合には、第２状態として表示部本体部１４ｃの垂直方向に対する傾斜の度合いを大きくすることにより、顧客に表示部本体部１４ｃを見やすくすることができ、高さ方向における陳列場所に応じた対応が可能なる。よって、販促効果を高めることができる。
【００８５】
また、正面部１０においては、上記のように、略凸状のブランクに各切込みと折れ線と切欠部を設けることにより形成することができ、容易に内側正面部を形成することができる。
【００８６】
なお、上記の説明において、外箱部Ａ２においては、スリーブ状部１０５を構成する正面部１１０と側面部１２０の境界位置に切欠部Ｋ１２２が設けられ、正面部１１０と側面部１３０の境界位置に開口部Ｋ１１４が設けられているとして説明したが、切欠部Ｋ１２２を開口部Ｋ１１４のような開口部としてもよく、また、開口部Ｋ１１４を切欠部Ｋ１２２のような切欠部としてもよい。
【００８７】
また、切欠部Ｋ１２２のような切欠部又は開口部Ｋ１１４のような開口部を側面部１２０と背面部１４０の境界位置や側面部１３０と背面部１４０の境界位置に設けるようにしてもよい。
【００８８】
また、内箱部Ａ１の底面部５０において、接続片部６０が側面部３０から連設され、接続片部９０が側面部２０から連設され、本体部７０が正面部１０から連設され、副体部８０が背面部４０から連設されているとしたが、接続片部６０が側面部２０から連設され、接続片部９０が側面部３０から連設され、本体部７０が背面部４０から連設され、副体部８０が正面部１０から連設されたものとしてもよい。
【００８９】
なお、上記の説明においては、内箱部Ａ１や外箱部Ａ２が４つの側面部を有するもの、つまり、平面視が四角形の形状のものとして説明したが、平面視が他の多角形のものでもよい。例えば、内箱部や外箱部における側面部が６つや８つのものでもよく、このように側面部の数が偶数の場合には、内箱部における２つの分離部は相対する側面部に設ける。例えば、平面視が六角形の場合には、互いに平行な側面部に２つの分離部を設ける。また、側面部の数が奇数の場合には、一方の分離部が設けられた側面部と平行な対向する側面部がある場合には、その側面部に他の分離部を設け、平行な側面部がない場合には、一方の分離部が設けられた側面部と最も平行に近い（つまり、該側面部となす角度が最も小さい）側面部に他の分離部を設ければよい。
【図面の簡単な説明】
【００９０】
【図１】本考案の実施例に基づく包装箱の前方斜視図である。
【図２】本考案の実施例に基づく包装箱の後方斜視図である。
【図３】本考案の実施例に基づく包装箱の分解斜視図である。
【図４】本考案の実施例に基づく包装箱の右側面図であり、特に、片部１２２と分離部２４の位置関係を説明する図である。
【図５】本考案の実施例に基づく包装箱の底面図である。
【図６】内箱部の展開図である。
【図７】図６における要部拡大図である。
【図８】外箱部の展開図である。
【図９】包装箱を折り畳んだ状態を示す斜視図である。
【図１０】包装箱を折り畳んだ際の内箱部の折り畳み状態を示す斜視図である。
【図１１】包装箱の使用状態を示す斜視図である。
【図１２】包装箱の使用状態を示す斜視図である。
【図１３】包装箱の使用状態を示す斜視図である。
【図１４】包装箱の使用状態を示す斜視図である。
【図１５】包装箱の使用状態を示す斜視図であり、特に、表示部を第１状態に組み立てた場合の斜視図である。
【図１６】包装箱の使用状態を示す斜視図であり、特に、表示部を第２状態に組み立てた場合の斜視図である。
【符号の説明】
【００９１】
Ａ 包装箱
Ａ１ 内箱部
Ａ２ 外箱部
５、１０５ スリーブ状部
１０、１１０ 正面部
１２  正面本体部
１２ａ、１２ｂ、１２２、１３２  片部
１４  表示部
１４ａ、１４ｂ  正面側支持部
１４ａ−１、１４ａ−２、１４ｂ−１、１４ｂ−２  正面側支持部構成部
１４ｃ  表示部本体部
１４ｃ−１  中央領域部
１４ｃ−２、１４ｃ−３  端部領域部
１４ｄ  背面側支持部
２０、３０、１２０、１３０ 側面部
２２、３２ 本体部
２４、３４ 分離部
４０、１４０ 背面部
４２、１４２ 糊代部
５０ 底面部
６０、９０ 接続片部
７０ 本体部
８０ 副体部
１６０、１７０、１８０、１９０ 上面部
Ｋ２、Ｋ４、Ｋ６、Ｋ８、Ｋ１０、Ｋ１２、Ｋ１４、Ｋ１６、Ｋ２２  切込み
Ｋ１８、Ｋ２０、１２２ａ、１２２ｂ、１３２ａ、１３２ｂ  ミシン目
【図１】
0003147173.tif 000003
【図２】
0003147173.tif 000004
【図３】
0003147173.tif 000005
【図４】
0003147173.tif 000006
【図５】
0003147173.tif 000007
【図６】
0003147173.tif 000008
【図７】
0003147173.tif 000009
【図８】
0003147173.tif 000010
【図９】
0003147173.tif 000011
【図１０】
0003147173.tif 000012
【図１１】
0003147173.tif 000013
【図１２】
0003147173.tif 000014
【図１３】
0003147173.tif 000015
【図１４】
0003147173.tif 000016
【図１５】
0003147173.tif 000017
【図１６】
0003147173.tif 000018